(57)【要約】【課題】撮影された複数の静止画像からストーリー性のある一連の動画像を作成できるようにする。【解決手段】  本発明に係るデジタルカメラ１０によれば、入力部１２を介して撮影された複数の静止画像のなかから動画像作成に使用する任意の画像（指定画像）が複数選択されると、選択された各指定画像のそれぞれから複数の異なる領域の画像を切り出し、切り出した画像を連結した動画像を作成し記録し出力する。【選択図】図１
2006270557.tif 000002
【特許請求の範囲】
【請求項１】
撮影により静止画像を取得する撮像手段と、
前記取得された複数の静止画像のなかから任意の画像を複数選択する画像選択手段と、
前記画像選択手段により選択された各画像のそれぞれから複数の異なる領域の画像を切り出し、切り出した画像を連結して動画像を作成し記録する動画作成手段と、
前記記録された動画像を出力する動画出力手段と、
を備えたことを特徴とする撮影装置。
【請求項２】
前記動画作成手段は、前記選択された画像から予め定められた複数の異なる領域の画像を切り出すことを特徴とする請求項１に記載の撮影装置。
【請求項３】
前記予め定められた複数の異なる領域は、前記選択された画像と画像中心が同じであり領域サイズが段階的に異なる複数の領域であることを特徴とする請求項２に記載の撮影装置。
【請求項４】
前記動画作成手段は、前記切り出した画像のサイズが予め設定された画像サイズよりも小さい場合に、前記予め設定された画像サイズに拡大する画像拡大手段と、前記切り出した画像のサイズが予め設定された画像サイズよりも大きい場合に、前記予め設定された画像サイズに縮小する画像縮小手段を備えたことを特徴とする請求項１〜３の何れか一項に記載の撮影装置。
【請求項５】
前記選択された画像から切り出す領域を指定する領域指定手段を備えたことを特徴とする請求項１に記載の撮影装置。
【請求項６】
前記動画作成手段は、前記動画像に音声情報を対応付けて記録することを特徴とする請求項１〜５の何れか一項に記載の撮影装置。
【請求項７】
コンピュータに、
撮影により取得された複数の静止画像のなかから任意の画像を複数選択する機能と、
前記選択された各画像のそれぞれから複数の異なる領域の画像を切り出し、切り出した画像を連結して動画像を作成し記録する機能と、
前記記録された動画像を出力する機能と、
を実現させるためのプログラム。
【発明の詳細な説明】
【技術分野】
【０００１】
本発明は、撮影された複数枚の静止画像から何枚かの画像を切り出して動画像を作成する機能を備えた撮影装置及びプログラムに関する。
【背景技術】
【０００２】
従来、カメラ等で撮影された１枚の静止画像のなかから何枚かの部分領域を切り出して動画像を作成する技術が知られている（例えば、特許文献１参照）。
【特許文献１】特開平１１−１８５０５１号公報
【発明の開示】
【発明が解決しようとする課題】
【０００３】
しかしながら、１枚の静止画像から動画像を作成する場合、動画像の各場面がその静止画像の範囲に限定されるため一連の動画像に全く異なる場面を含めることが不可能であり、ストーリーをもった動画像を自由に作成することができないという問題があった。
【０００４】
本発明の課題は、撮影された複数の静止画像からストーリー性のある一連の動画像を作成できるようにすることである。
【課題を解決するための手段】
【０００５】
上記課題を解決するため、請求項１に記載の撮影装置は、
撮影により静止画像を取得する撮像手段と、
前記取得された複数の静止画像のなかから任意の画像を複数選択する画像選択手段と、
前記画像選択手段により選択された各画像のそれぞれから複数の異なる領域の画像を切り出し、切り出した画像を連結して動画像を作成し記録する動画作成手段と、
前記記録された動画像を出力する動画出力手段と、
を備えたことを特徴としている。
【発明の効果】
【０００６】
請求項１、７に記載の発明によれば、撮影により取得された複数の静止画像のなかから任意の画像が選択されると、選択された各画像のそれぞれから複数の異なる領域の画像を切り出し、切り出した画像を連結して動画像を作成、記録し、出力する。従って、全く異なる場面を含む動画像を静止画像から作成することができ、撮影された複数の静止画像からストーリー性のある一連の動画像を作成することが可能となる。
【０００７】
請求項２に記載の発明によれば、選択された画像から予め定められた複数の異なる領域の画像を切り出して動画像を作成するので、画像を選択するだけで容易に動画像を作成することが可能となる。
【０００８】
請求項３に記載の発明によれば、選択された画像と画像中心が同じであり領域サイズが段階的に異なる複数の領域を自動的に切り出して動画像を作成することができるので、画像中心に向かってズームアップした動画像や画像中心からズームバックした動画像を容易に作成することが可能となる。
【０００９】
請求項４に記載の発明によれば、切り出した画像のサイズが予め設定された画像サイズよりも小さい場合に、予め設定された画像サイズに拡大し、切り出した画像のサイズが予め設定された画像サイズよりも大きい場合に、予め設定された画像サイズに縮小するので、予め設定された画像サイズより小さく切り出した領域をズームアップし、予め設定された画像サイズより大きく切り出した領域をズームバックすることが可能となる。
【００１０】
請求項５に記載の発明によれば、選択された画像から切り出す領域を指定する領域指定手段を備えているので、ユーザが動画像に含めたい領域を指定することが可能となる。
【００１１】
請求項６に記載の発明によれば、動画像に音声情報を対応付けて記録するので、音声付の、よりストーリー性のある動画像を作成することが可能となる。
【発明を実施するための最良の形態】
【００１２】
以下、図を参照して本発明の実施形態を詳細に説明する。
まず、構成を説明する。
【００１３】
図１は、撮影装置としてのデジタルカメラ１０の機能的構成を示すブロック図である。図１に示すように、デジタルカメラ１０は、ＣＰＵ（Central Processing Unit）１１、入力部１２、ＲＡＭ（Random Access Memory）１３、伝送制御部１４、表示部１５、撮像部１６、記録部１７、記録媒体駆動部１８、音声入力部１９、音声出力部２０等を備えて構成されており、各部はバス２１により接続されている。
【００１４】
ＣＰＵ１１は、記録部１７に記憶されているシステムプログラムを読み出し、ＲＡＭ１３内に形成されたワークエリア１３１に展開し、該システムプログラムに従って各部を制御する。また、ＣＰＵ１１は、記録部１７に記憶されているメインプログラム、動画作成処理プログラム、動画再生処理プログラムを始めとする各種処理プログラムを読み出してワークエリア１３１に展開し、展開されたプログラムに従って、後述するメイン処理（図３参照）、動画作成処理（図４、５参照）、動画再生処理（図６参照）を始めとする各種処理を実行する。
【００１５】
入力部１２は、電源キー、シャッターキー、表示部１５の表示画面上におけるカーソル位置の移動、各種モードや画像ファイルの選択等のために表示画面上の上下左右の各方向を指示するための十字キー、この十字キーの中央部に配置され、その時点で選択されている内容を指示設定するセットキー等を備え、ユーザによる各キー操作に応じた操作信号をＣＰＵ１１に出力する。
【００１６】
ＲＡＭ１３は、ＣＰＵ１１によって実行される各種プログラム及びこれらプログラムに係るデータを一時的に記憶するワークエリア１３１を形成する。
【００１７】
伝送制御部１４は、通信用ケーブル等により外部の電子機器、例えば、パーソナルコンピュータ等と接続され、外部機器とのデータの送受信を制御する。なお、外部機器との接続は、赤外線や無線等の無線接続であってもよい。
【００１８】
表示部１５は、ＬＣＤ（Liquid Crystal Display）等のモニタにより構成され、ＣＰＵ１１から入力される表示信号の指示に従って、撮影しようとする画像、撮影された撮影画像、作成された動画像等を表示画面（液晶ファインダ）上に表示する。
【００１９】
図２は、撮影により静止画像の画像データを取得する撮像部１６の詳細構成を示す図である。以下、図２を参照して撮像部１６について詳細に説明する。
レンズ（撮像レンズ）３１を通過した被写体像は絞り機構３２を介してＣＣＤ（Charge Coupled Device）３３上に結像される。レンズ３１及び絞り機構３２は、光学系駆動部３４によって、焦点合わせのためにレンズ位置が移動され、また、適切な露出となるように絞り量が制御される。このレンズ３１の移動や絞り機構３２の絞りは、測距センサや光量センサを含むセンサ部３５によって検出された検出値がバス２１を介してＣＰＵ１１に出力され、ＣＰＵ１１で検出値に基づいて演算されたレンズ３１の移動量や絞り機構３２の絞り量を示す信号が光学系駆動部３４に出力されることによって駆動がなされるものである。
【００２０】
ＣＣＤ３３に被写体が結像されると、ＣＣＤ３３には入射光量に応じた電荷が蓄積され、この電荷は駆動回路３６から与えられる駆動パルス信号によって順次読み出され、アナログ処理回路３７に出力される。アナログ処理回路３７は、色分離やゲイン調整、ホワイトバランスなどの各種処理が行われ、処理された信号はＡ／Ｄ変換回路３８を介してデジタル画像データ（以下、画像データと称する）としてバッファレジスタ３９に記憶される。
【００２１】
バッファレジスタ３９に記憶された画像データは、ＣＰＵ１１からの制御信号に基づいて、信号処理回路４０において輝度信号及び色差信号に変換され、表示部１５に表示される。また、信号処理回路４０において処理された画像データは、ＣＰＵ１１からの制御信号に基づいて、圧縮伸張回路４１において圧縮されバス２１を介して図１に示す記録部１７の撮影画像記録領域１７１もしくは記録媒体１８ａに記録される。
【００２２】
図１に戻り、記録部１７は、フラッシュメモリなどの不揮発メモリ等により構成され、デジタルカメラ１０に対応するシステムプログラム、及び該システムプログラム上で実行可能なメインプログラム、動画作成処理プログラム、動画再生処理プログラムを始めとする各種処理プログラム及びこれらのプログラムで処理されたデータ等を記録する。
【００２３】
この記録部１７は、撮影された画像データを記録するための、撮影画像記録領域１７１を有する。また、記録部１７は、後述する動画作成処理において作成された音声付動画ファイルを記録するための音声付動画ファイル記録領域１７２を有する。
【００２４】
記録媒体駆動部１８は、装着された記録媒体１８ａに対してデータを記録したり、既に記録されているデータを読み出して再生したりするための駆動回路である。装着される記録媒体１８ａとしては、スマートメディア（登録商標）、メモリースティック（登録商標）、コンパクトフラッシュ（登録商標）、ＳＤカード、ＰＣカード、ＩＣカード、ＭＯ（magneto-optic）等の各種カードを用いることができ、これらの各種カードの何れか又は複数のカードに応じた記録媒体駆動部１８が設けられている。
【００２５】
音声入力部１９は、マイク、Ａ／Ｄ変換器等により構成され、音声信号を入力して音声データに変換し、ＣＰＵ１１に出力する。
音声出力部２０は、Ｄ／Ａ変換器、増幅器、スピーカ等を備え、音声データに基づき音声信号を出力する。
【００２６】
次に、本実施の形態の動作について説明する。
図３は、デジタルカメラ１０のＣＰＵ１１により実行されるメイン処理を示すフローチャートである。当該処理は、入力部１２の電源キーの操作により電源がＯＮされた際にＣＰＵ１１と記録部１７に記憶されているメイン処理プログラムとの協働によるソフトウエア処理により実現される処理である。
【００２７】
まず、表示部１５にモードの一覧が表示されたモード選択画面（図示せず）が表示され、入力部１２の操作によりモードが選択されると（ステップＳ１）、選択されたモードが解析される（ステップＳ２）。
【００２８】
選択されたモードが撮影モードである場合（ステップＳ３；ＹＥＳ）、シャッターキーが操作されると（ステップＳ４；ＹＥＳ）、撮像部１６が制御されて撮影により画像データが取り込まれ（ステップＳ５）、取り込まれた画像データが記録部１７の撮影画像記録領域１７１もしくは記録媒体１８ａに記録され（ステップＳ６）、処理はステップＳ４に戻る。
【００２９】
一方、ステップＳ４においてシャッターキーが操作されず（ステップＳ４；ＮＯ）、入力部１２の操作によりモード切替が指示された場合は（ステップＳ７；ＹＥＳ）、処理はステップＳ２に戻る。ステップＳ７においてモード切替が指示されず、電源キーの操作により電源ＯＦＦが指示された場合（ステップＳ８；ＹＥＳ）、本処理は終了する。入力部１２によるモード切替、電源ＯＦＦの何れの指示操作もされない場合（ステップＳ８；ＮＯ）、処理はステップＳ４に戻る。
【００３０】
一方、解析されたモードが撮影モードではなく（ステップＳ３；ＮＯ）、動画作成モードである場合（ステップＳ９；ＹＥＳ）、図４、５に示す動画作成処理が実行される（ステップＳ１０）。動画作成処理後、入力部１２の操作によりモード切替が指示された場合（ステップＳ１１；ＹＥＳ）、処理はステップＳ２に戻る。ステップＳ１１においてモード切替が指示されず、電源キーの操作により電源ＯＦＦが指示された場合（ステップＳ１２；ＹＥＳ）、本処理は終了する。入力部１２においてモード切替、電源ＯＦＦの何れの操作もされない場合（ステップＳ１２；ＮＯ）、処理はステップＳ１０に戻る。
【００３１】
一方、解析されたモードが撮影モードでも動画作成モードでもない場合（ステップＳ９；ＮＯ）、選択されたモードに従った処理が実行され（ステップＳ１３）、入力部１２の操作によりモード切替が指示されると（ステップＳ１４；ＹＥＳ）、処理はステップＳ２に戻る。ステップＳ１４においてモード切替が指示されず、電源キーの操作により電源ＯＦＦが指示された場合（ステップＳ１５；ＹＥＳ）、本処理は終了する。入力部１２においてモード切替、電源ＯＦＦの何れの操作もされない場合（ステップＳ１５；ＮＯ）、処理はステップＳ１３に戻る。
【００３２】
以下、図４、図５を参照してステップＳ１０において実行される動画作成処理について説明する。当該処理は、ＣＰＵ１１と動画作成処理プログラムとの協働によるソフトウエア処理により実現される処理である。
【００３３】
まず、表示部１５に撮影画像記録領域１７１に記録されている画像の一覧画面が表示され、入力部１２の操作によりこの一覧画面から画像が選択されることにより動画作成に使用される画像が指定されると（ステップＴ１；画像選択手段）、指定された画像（指定画像）の画像データが撮影画像記録領域１７１からＲＡＭ１３のワークエリア１３１に読み出される（ステップＴ２）。
【００３４】
図７に、ＲＡＭ１３のワークエリア１３１におけるデータ格納例を示す。図７に示すように、ＲＡＭ１３のワークエリア１３１においては、当該動画作成処理において、ステップＴ１で指定されステップＴ２で指定画像の画像データが読み出されると、その画像データを指定順番に対応する識別番号（ＮＯ．）に対応付けて記憶（格納）する。また、その指定画像に対応付けて、後段の処理で指定される動画種類及び切り出す領域の左上位置の移動経路のデータ、その指定画像に対して入力される音声データ、その指定画像から切り出される画像データを格納する。
【００３５】
図４のステップＴ３において、表示部１５に動画種類指定画面（図示せず）が表示され、入力部１２の操作によりこの動画種類指定画面から動画種類が指定されると（ステップＴ３）、指定された動画種類を示すデータが指定画像の画像データと対応付けられてＲＡＭ１３のワークエリア１３１に記憶される（ステップＴ４）。次いで、表示部１５に当該指定画像に対する音声入力を促すメッセージが表示され、音声入力部１９のマイクから当該指定画像に対する音声信号が入力されると、入力された音声信号がＡ／Ｄ変換器により音声データに変換され、その音声データが当該指定画像の画像データと対応付けられてワークエリア１３１に記録される（ステップＴ５）。
【００３６】
動画種類としては、「切り抜き」、「拡大」、「縮小」がある。
「切り抜き」とは、指定画像（ここでは、４００×３００ピクセルとする）から予め設定された動画サイズ（ここでは、１００×７５ピクセルとする）の画像を複数の異なる領域から切り出し、切り出した画像を一連の動画像の一部とするものである。指定画像から切り出される複数の領域は、入力部１２を介してユーザにより指定される。本実施の形態においては、図８（ａ）に示すように、入力部１２の操作により、指定画像において最初に切り出す画像領域の左上位置（Ｘ、Ｙ）から最後に切り出す画像領域の左上位置（Ｘ１、Ｙ１）までの経路が指定されることにより、指定画像から切り出される複数の領域が設定される。即ち、（Ｘ、Ｙ）〜（Ｘ１、Ｙ１）の経路が指定されると、（Ｘ、Ｙ）〜（Ｘ１、Ｙ１）の経路上に１ピクセルずつ左上位置をずらした複数の動画サイズの画像が切り出される。
【００３７】
「拡大」とは、図８（ｂ）に示すように、指定画像と画像中心が同じである動画サイズの画像領域（太線で示す領域）の画像と、指定画像と画像中心が同じであり動画サイズより小さくその領域サイズが相互に異なる複数の画像領域を切り出し、切り出した画像を動画サイズに拡大して一連の動画像の一部とするものである。
【００３８】
「縮小」とは、図８（ｃ）に示すように、指定画像と画像中心が同じである動画サイズの画像領域（太線で示す領域）の画像と、指定画像と画像中心が同じであり動画サイズより大きくその領域サイズが相互に異なる複数の画像領域を切り出し、切り出した画像を動画サイズに縮小して一連の動画像の一部とするものである。
【００３９】
図４に戻り、ステップＴ３で指定された動画種類が「切り抜き」である場合（ステップＴ６；ＹＥＳ）、表示部１５に、指定画像から切り出す画像領域の左上位置の移動経路（Ｘ、Ｙ）〜（Ｘ１、Ｙ１）を指定するための領域指定画面が表示され（図８（ａ）参照）、入力部１２の操作により（Ｘ、Ｙ）〜（Ｘ１、Ｙ１）の経路が指定されると（ステップＴ７；領域指定手段）、指定された経路（Ｘ、Ｙ）〜（Ｘ１、Ｙ１）を示すデータが取得されてそのデータが当該指定画像の画像データと対応付けてワークエリア１３１に記憶され（ステップＴ８）、処理はステップＴ９に移行する。なお、（Ｘ１、Ｙ１）を左上位置とした場合に動画サイズの画像が切り出せない場合は、エラーメッセージが表示され、再度の指定操作が促される。ステップＴ３で指定された動画種類が「切り抜き」でない場合（ステップＴ６；ＮＯ）、処理はステップＴ９に移行する。
【００４０】
なお、本実施の形態においては、動画種類が拡大及び縮小の場合に関しては、切り出すべき拡大画像数及び縮小画像数が予め設定されているものとするが、入力部１２の操作によりユーザが設定するようにしてもよい。
【００４１】
ステップＴ９において、入力部１２の操作により動画作成の開始が指示されなければ、処理はステップＴ１に戻り、動画作成の対象となる他の静止画像の選択、動画種類の設定、音声入力等が行われる。ステップＴ９において動画作成の開始が指示されると（ステップＴ９；ＹＥＳ）、処理はステップＴ１０に移行する。
【００４２】
ステップＴ１０においては、ＲＡＭ１３のカウンタＮに１がセットされる。次いで、ＲＡＭ１３のワークエリア１３１に格納されているＮ番目の指定画像の動画種類が判別される（ステップＴ１１）。Ｎ番目の画像の動画種類が「切り抜き」であると判別されると（ステップＴ１２；切り抜き）、Ｎ番目の指定画像上の指定座標（Ｘ、Ｙ）を左上位置とする動画サイズの画像領域が求められ（ステップＴ１３）、求められた領域の画像データが切り出されてワークエリア１３１に記憶される（ステップＴ１４）。次いで、指定画像において直前に切り出された画像領域の左上位置から（Ｘ１、Ｙ１）の方向に１ピクセル分進めた位置を左上位置とする動画サイズの画像領域が求められ（ステップＴ１５）、求められた領域の画像データが切り出されてワークエリア１３１に記憶される（ステップＴ１６）。次いで、ステップＴ７で指定された画像領域の切り出しが終了したか否か、即ち、（Ｘ１、Ｙ１）を左上位置とする画像領域までの切り出しが終了したか否かが判断され、終了していないと判断されると（ステップＴ１７；ＮＯ）、処理はステップＴ１５に戻る。（Ｘ１、Ｙ１）を左上位置とする画像領域までの切り出しが終了したと判断されると（ステップＴ１７；ＹＥＳ）、処理はステップＴ２８に移行する。
【００４３】
ステップＴ１２において、Ｎ番目の画像の動画種類が「縮小」であると判別されると（ステップＴ１２；縮小）、Ｎ番目の指定画像において画像中心が同じ動画サイズの画像領域が求められ（ステップＴ１８）、求められた領域の画像データが切り出されてワークエリア１３１に記憶される（ステップＴ１９）。次いで、指定画像において直前に切り出された画像領域より１ピクセル外側までの画像領域が求められ（ステップ２０）、求められた領域の画像データが切り出されて動画サイズに縮小されてワークエリア１３１に記憶される（ステップＴ２１；画像縮小手段）。次いで、予め設定された枚数分の画像の切り出しが終了したか否かが判断され、終了していないと判断されると（ステップＴ２２；ＮＯ）、処理はステップＴ２０に戻る。予め設定された枚数分の画像の切り出しが終了したと判断されると（ステップＴ２２；ＹＥＳ）、処理はステップＴ２８に移行する。
【００４４】
ステップＴ１２において、Ｎ番目の画像の動画種類が「拡大」であると判別されると（ステップＴ１２；拡大）、Ｎ番目の指定画像において画像中心が同じ動画サイズの画像領域が求められ（ステップＴ２３）、求められた領域の画像データが切り出されてワークエリア１３１に記憶される（ステップＴ２４）。次いで、指定画像において直前に切り出された画像領域より１ピクセル内側までの画像領域が求められ（ステップ２５）、求められた領域の画像データが切り出されて動画サイズに拡大されてワークエリア１３１に記憶される（ステップＴ２６；画像拡大手段）。次いで、予め設定された枚数分の画像の切り出しが終了したか否かが判断され、終了していないと判断されると（ステップＴ２７；ＮＯ）、処理はステップＴ２５に戻る。予め設定された枚数分の画像の切り出しが終了したと判断されると（ステップＴ２７；ＹＥＳ）、処理はステップＴ２８に移行する。
【００４５】
ステップＴ２８において、カウンタＮが１インクリメントされ、次いで、カウンタＮの値がＲＡＭ１３のワークエリア１３１に格納された指定画像数を超えているか否かが判断され、超えていない場合（ステップＴ２９；ＮＯ）、処理はステップＴ１１に戻り、ステップＴ１１〜Ｔ２８の処理が繰り返し実行される。カウンタＮの値が指定画像数を超えた場合（ステップＴ２９；ＹＥＳ）、各指定画像から切り出された複数の画像データが連結され、指定画像別にその指定画像に対して入力された音声データが対応付けられ、音声付動画ファイルとして記録部１７の音声付動画ファイル記録領域１７２に記録される（ステップＴ３０）。そして、図６に示す動画再生処理により記録部１７又は記録媒体１８ａに記録された音声付動画ファイルが出力され（ステップＴ３１）、処理は図３のステップＳ１１に移行する。
【００４６】
以下、図６を参照して図４のステップＴ３１において実行される動画再生処理について説明する。当該処理は、ＣＰＵ１１と動画再生処理プログラムとの協働によるソフトウエア処理により実行される処理であり、当該処理の実行により、動画出力手段が実現される。
【００４７】
まず、カウンタＮに１がセットされ（ステップＴ４１）、音声付動画ファイルのＮ番目の指定画像に対応する音声データに基づき音声出力部２０により音声が出力され（ステップＴ４２）、Ｎ番目の指定画像から切り出された複数の画像データのうち最初の画像データが読み出されて表示部１５に所定時間表示される（ステップＴ４３）。次いで、次の画像データが読み出されて表示部１５に所定時間表示される（ステップＴ４４）。次いで、Ｎ番目の指定画像から切り出された全ての画像の表示が終了したか否かが判断され、終了したと判断されなければ（ステップＴ４５；ＮＯ）、処理はステップＴ４４に戻り、次の画像データに基づく表示が行われる。Ｎ番目の指定画像から切り出された全ての画像の表示が終了したと判断されると（ステップＴ４５；ＹＥＳ）、出力対象となっている音声付動画ファイルの全ての画像表示が終了したか否かが判断され、まだ表示されていない画像があると判断されると（ステップＴ４６；ＮＯ）、カウンタＮが１インクリメントされ（ステップＴ４７）、処理はステップＴ４２に戻り、次の指定画像についての音声出力及び画像の表示が行われる。出力対象となっている音声付動画ファイルの全ての画像表示が終了すると（ステップＴ４６；ＮＯ）、本処理は終了し、処理は図３のステップＳ１１に移行する。
【００４８】
なお、デジタルカメラ１０は動画再生モードを有しており、図３のステップＳ１で動画再生モードを選択し、ステップＳ１３において、記録部１７に記録されている音声付動画ファイルのうち選択されたファイルについて上述の動画再生処理を行うことができる。
【００４９】
図９は、上述の動画作成処理で作成される動画像の一例を示す図である。図９は、上述の動画作成処理において、図８（ａ）に示す静止画像に対する動画種類を「切り抜き」として指定し、図８（ｂ）に示す静止画像に対する動画種類を「拡大」として指定して作成した動画像である。図９においては、まず、崖の淵に人間が立って荒野を見下ろしている場面がスライド表示され、次いで、崖の上の人間の空想に場面が展開され、崖の上の人間が荒野を見て思い浮かべたバイクがズームアップ表示される。このように、上述の動画作成処理においては、全く異なる場面を含む動画像を静止画像から作成することができ、撮影された複数の静止画像からストーリー性のある一連の動画像を作成することが可能となる。
【００５０】
以上説明したように、本発明に係るデジタルカメラ１０によれば、入力部１２を介して撮影された複数の静止画像のなかから動画像作成に使用する任意の画像（指定画像）が複数選択されると、選択された各指定画像のそれぞれから複数の異なる領域の画像を切り出し、切り出した画像を連結した動画像を作成し記録し出力する。従って、全く異なる場面を含む動画像を静止画像から作成することができ、撮影された複数の静止画像からストーリー性のある一連の動画像を作成することが可能となる。
【００５１】
また、指定画像から複数の異なる領域を切り出す場合、入力部１２を介してユーザが指定画像から切り出す画像領域の左上位置の移動経路を指定することができるので、ユーザが動画像に含めたい画像領域を指定することが可能となる。また、ユーザの指定により、指定画像と画像中心が同じで領域サイズが段階的に異なる複数の画像を自動的に切り出し、切り出された領域サイズを動画サイズに拡大又は縮小することができるので、画像中心をズームアップしたり、画像中心から徐々に背景を広げてズームバックしたりといった動画像を容易に作成することが可能となる。また、各指定画像毎に音声を付加することができるので、よりストーリー性のある動画像を作成することが可能となる。この場合、上述した複数の異なる領域の画像を切り出しながら、画像をズームアップしたり、ズームバックしたりしてもよい。
【００５２】
なお、上述した本実施の形態における記述は、本発明に係るデジタルカメラ１０好適な一例であり、これに限定されるものではない。
【００５３】
例えば、上記実施の形態においては、動画再生処理を実行し、作成された音声付動画ファイルを表示部１５に表示することにより本発明の画像出力手段を実現することとしたが、伝送制御部１４を介して音声付動画ファイルのデータを外部のパーソナルコンピュータ等に出力し、外部のパーソナルコンピュータ等で動画像を再生出力するようにしてもよい。
【００５４】
また、上記実施の形態においては、動画種類として「切り抜き」が指定された場合、ユーザが切り出す画像領域の左上位置の移動経路を指定し、ユーザにより指定された移動経路に沿って画像領域を１ピクセルずつ移動させて複数領域の画像を切り出すこととしたが、ユーザによる切り出す領域の設定方法は、これに限定されない。例えば、ユーザが切り出す画像領域を逐一設定するようにしてもよい。また、動画種類として「縮小」が指定された場合、動画サイズから１ピクセルずつ領域を大きくして複数領域の画像を切り出すこととし、動画種類として「拡大」が指定された場合、動画サイズから１ピクセルずつ領域を小さくして複数領域の画像を切り出す場合を例にとり説明したが、領域の拡大または縮小する単位は、１ピクセルずつに限定されるものではない。
【００５５】
また、上記実施の形態においては、本発明の撮影装置をデジタルカメラに適用した場合を例にとり説明したが、撮影機能を備えた装置であれば、携帯電話機、ＰＤＡ（Personal Digital Assistance）、カメラ一体型のパーソナルコンピュータ、ウェアラブルコンピュータ等であってもよい。
【００５６】
その他、デジタルカメラ１０の細部構成及び細部動作に関しても、本発明の趣旨を逸脱することのない範囲で適宜変更可能である。
【図面の簡単な説明】
【００５７】
【図１】本発明に係るデジタルカメラ１０の機能的構成を示すブロック図である。
【図２】図１の撮像部１６の詳細構成を示す図である。
【図３】図１のＣＰＵ１１により実行されるメイン処理を示すフローチャートである。
【図４】図１のＣＰＵ１１により実行される動画作成処理を示すフローチャートである。
【図５】図１のＣＰＵ１１により実行される動画作成処理を示すフローチャートである。
【図６】図１のＣＰＵ１１により実行される動画再生処理を示すフローチャートである。
【図７】図１のＲＡＭ１３のワークエリア１３１におけるデータ格納例を示す図である。
【図８】（ａ）は、動画種類として「切り抜き」が指定された場合に切り出される画像領域の一例を示す図であり、（ｂ）は、動画種類として「拡大」が指定された場合に切り出される画像領域の一例を示す図であり、（ｃ）は、動画種類として「縮小」が指定された場合に切り出される画像領域の一例を示す図である。
【図９】図４、５の動画作成処理で作成される動画像の一例を示す図である。
【符号の説明】
【００５８】
１０  デジタルカメラ
１１  ＣＰＵ
１２  入力部
１３  ＲＡＭ
１３１  ワークエリア
１４  伝送制御部
１５  表示部
１６  撮像部
１７  記録部
１７１  撮像画像記録領域
１７２  音声付動画ファイル記録領域
１８  記録媒体駆動部
１８ａ  記録媒体
１９  音声入力部
２０  音声出力部
２１  バス
３１  レンズ
３２  絞り機構
３３  ＣＣＤ
３４  光学系駆動部
３５  センサ部
３６  駆動回路
３７  アナログ処理回路
３８  Ａ／Ｄ変換回路
３９  バッファレジスタ
４０  信号処理回路
４１  圧縮伸張回路
【図１】
2006270557.tif 000003
【図２】
2006270557.tif 000004
【図３】
2006270557.tif 000005
【図４】
2006270557.tif 000006
【図５】
2006270557.tif 000007
【図６】
2006270557.tif 000008
【図７】
2006270557.tif 000009
【図８】
2006270557.tif 000010
【図９】
2006270557.tif 000011